(57)【要約】【課題】故人との絆を強く保ちつつ、その遺徳を偲びながら遺族が仏前や仏事に使用できる遺骨砕片入り砂時計付き仏具の提供。【解決手段】くびれ部２４を介在させた一対の透明球部２２，２３内に砂状片２７と遺骨砕片２６とからなる微小粒状物２５を封入させた砂時計２１と、該砂時計２１が埋入される透明仏具本体３１とで構成され、該透明仏具本体３１は、正三角形のそれぞれの頂角側を湾曲させた計三面の狭幅曲面３２と、隣り合う狭幅曲面３２，３２相互間に位置する計三面の広幅平坦面３３と、上下両面側の一側端面３４と他側端面３５との全体で八面を形成する横断面略六角形状を呈させることで俗名関連事項や戒名関連事項や自由事項の刻入が可能な縦長直角柱体として形成され、砂時計２１は、透明仏具本体３１の長さ方向が透明球部２２，２３の上下方向となるようにして該透明仏具本体３１内に埋入配置した。【選択図】図１
0003214317.tif 000002
【実用新案登録請求の範囲】
【請求項１】
くびれ部を介して相互を連通させた上下一対の透明球部内に砂状片と遺骨砕片とからなる微小粒状物を前記透明球部の総容積の半量以下封入させた砂時計と、該砂時計が埋入される透明仏具本体とで構成され、
該透明仏具本体は、正三角形のそれぞれの頂角側を湾曲させた計三面の狭幅曲面と、隣り合う前記狭幅曲面相互間に位置する計三面の広幅平坦面と、上下両面に位置する一側端面と他側端面との全体で八面を形成する横断面略六角形状を呈させて故人の俗名関連事項刻入面、戒名関連事項刻入面および遺族の要望に応じるための自由事項刻入面としての利用が可能な縦長直角柱体として反転自在に形成され、
前記砂時計は、前記透明仏具本体の長さ方向が一対の前記透明球部の上下方向となるようにして該透明仏具本体内に埋入配置したことを特徴とする遺骨砕片入り砂時計付き仏具。
【請求項２】
前記広幅平坦面は、適宜の一面を故人の前記俗名関連事項刻入面とし、他の一面を故人の前記戒名関連事項刻入面とし、残余の一面を遺族の要望に応じるための前記自由事項刻入面とし、
前記狭幅平坦面は、いずれの面も遺族の要望に応じるための前記自由事項刻入面とした請求項１に記載の遺骨砕片入り砂時計付き仏具。
【考案の詳細な説明】
【技術分野】
【０００１】
本考案は、遺骨を埋葬した後であっても故人との絆を砂時計が刻む時の経過に託して強く保ちつつ、想いも新たに遺族が仏前に飾ったり仏事に用いたりすることができる遺骨砕片入り砂時計付き仏具に関する技術である。
【背景技術】
【０００２】
仏前に飾ったり仏事に用いられる仏具には、位はいを含めその用途に応じ種々のものがあるものの、遺骨の埋葬後に遺族の元に残されるものは位はいと遺影ぐらいのものになってしまう結果、時の経過とともに故人との間の絆が弱まって供養の仕方も形骸化してしまう傾向があった。
【０００３】
このため、故人との間の絆が薄弱化してしまうことのない仏具に関する従来技術としては、特許文献１に示されているような「粉砕遺骨を収蔵した砂時計」が既に提案されている。
【先行技術文献】
【特許文献】
【０００４】
【特許文献１】実用新案登録第３０５２３８７号公報
【０００５】
すなわち、特許文献１には、遺骨の埋葬後であっても魂のこもった記念碑として残すことで故人との間の絆を末永く保とうとするために、ガラス容器内に遺骨の一部を粉砕して収蔵し、故人の霊を供養することができるようにした砂時計が開示されている。
【考案の概要】
【考案が解決しようとする課題】
【０００６】
しかし、特許文献１の「粉砕遺骨を収蔵した砂時計」による場合は、ガラス容器内を流れ落ちる粉砕遺骨の一粒一粒に供養の心を託すことはできるものの、外観イメージ的には従来からある砂時計と異なるところはなく、遺族の故人を想う心情を託す仏具として用いるには敬虔さに欠ける不都合があった。
【０００７】
本考案は、従来技術にみられた上記課題に鑑みてなされたものであり、遺骨埋葬後であっても故人との絆を砂時計が刻む時の経過に託して強く保ちつつ、想いも新たに故人の遺徳を偲びながら遺族が仏前に飾ったり仏事に用いたりすることができる遺骨砕片入り砂時計付き仏具を提供することをその目的とする。
【課題を解決するための手段】
【０００８】
本考案は、上記目的を達成すべくなされたものであり、くびれ部を介して相互を連通させた上下一対の透明球部内に砂状片と遺骨砕片とからなる微小粒状物を前記透明球部の総容積の半量以下封入させた砂時計と、該砂時計が埋入される透明仏具本体とで構成され、該透明仏具本体は、正三角形のそれぞれの頂角側を湾曲させた計三面の狭幅曲面と、隣り合う前記狭幅曲面相互間に位置する計三面の広幅平坦面と、上下両面に位置する一側端面と他側端面との全体で八面を形成する横断面略六角形状を呈させて故人の俗名関連事項刻入面、戒名関連事項刻入面および遺族の要望に応じるための自由事項刻入面としての利用が可能な縦長直角柱体として反転自在に形成され、前記砂時計は、前記透明仏具本体の長さ方向が一対の前記透明球部の上下方向となるようにして該透明仏具本体内に埋入配置したことを最も主要な特徴とする。
【０００９】
この場合、前記広幅平坦面は、適宜の一面を故人の前記俗名関連事項刻入面とし、他の一面を故人の前記戒名関連事項刻入面とし、残余の一面を遺族の要望に応じるための前記自由事項刻入面とし、前記狭幅平坦面は、いずれの面も遺族の要望に応じるための前記自由事項刻入面とするのが好ましい。
【考案の効果】
【００１０】
請求項１に係る考案によれば、  遺骨砕片入り砂時計付き仏具は、横断面略六角形状を呈する縦長直角柱体として形成される透明仏具本体内に微小粒状物を透明球部の総容積の半量以下封入させた砂時計が埋入配置されているので、透明仏具本体を反転させて遺骨砕片を含む微小粒状物を流れ落ちるようにすることで一定の時を刻ませて故人との絆を強く保ちながらその遺徳を偲ぶことができる。
【００１１】
また、遺骨砕片入り砂時計付き仏具を構成する透明仏具本体は、横断面略六角形状を呈する縦長直角柱体として形成されているので、周側面に確保される計三面の狭幅曲面と計三面の広幅平坦面とのそれぞれを、故人の俗名関連事項刻入面や戒名関連事項刻入面のほか、遺族の要望に応じるための自由事項刻入面とすることで、故人の生存中の生き様などを彷彿とさせる種々の思い出事項を事後的に刻入して安置することで、遺族が故人を末永く供養することができる。
【００１２】
請求項２に係る考案によれば、透明仏具本体における広幅平坦面は、適宜の一面を故人の俗名関連事項刻入面とし、他の一面を故人の戒名関連事項刻入面とし、残余の一面を遺族の要望に応じるための自由事項刻入面とし、狭幅平坦面は、いずれの面も遺族の要望に応じるための自由事項刻入面とすることで、各面に対し予め定められている遺族の要望に応じた所定事項を事後的に各別に刻入することができる。
【図面の簡単な説明】
【００１３】
【図１】本考案の構成例を示す全体斜視図。
【図２】図１におけるＡ−Ａ矢視方向での横断面図。
【考案を実施するための形態】
【００１４】
図１および図２によれば、遺骨砕片入り砂時計付き仏具１１の全体は、砂時計２１と、該砂時計２１が埋入される透明仏具本体３１とで構成されている。
【００１５】
これらのうち、砂時計２１は、くびれ部２４を介して相互を連通させた上下一対の透明球体部２２，２３内に砂状物２７と遺骨砕片２６とからなる微小粒状物２５を透明球部２２，２３の総容積の半量以下にして封入させることで形成されている。
【００１６】
砂時計２１を構成するくびれ部２４を介在させた一対の透明球体部２２，２３については、透明ガラス材を用いて一体的に形成されたものを好適に用いることができる。この場合におけるくびれ部２４の内径は、微小粒状物２５が円滑に流れ落ちる適宜のサイズが付与されて形成されている。また、透明球体部２２，２３の容積については、透明仏具本体３１内に確実に埋入できるものであれば、そのサイズは問わない。
【００１７】
微小粒状物２５を構成する砂状物２７については、珪砂や砂鉄などの砂粒のほか、シリカゲルを細かくした人工砂など、くびれ部２４を円滑に通過して流れ落ちるサイズのものであれば適宜用いることができる。
【００１８】
また、遺骨砕片２６については、故人の遺骨をくびれ部２４を介して円滑に通過できる大きさに破砕したものが用いられる。砂状物２７と遺骨砕片２６との混合比については、遺族の希望に応じて適宜選定することができる。さらに、砂時計２１は、透明球体部２２，２３の容積との関係で定まる所要量の微小粒状物２５を充填することで、３分計や５分計等、適宜の時を刻ませることができる。
【００１９】
透明仏具本体３１は、図２に示すように正三角形のそれぞれの頂角側を湾曲させた計三面の狭幅曲面３２と、隣り合う狭幅曲面３２，３２相互間に位置する計三面の広幅平坦面３３と、図１に示されているように上下両面に位置する一側端面３４と他側端面３５との全体で八面を形成して、例えば高さが１７ｃｍ前後、狭幅曲面３２の辺長さが１ｃｍ前後、広幅平坦面３３の辺長さが４ｃｍ前後である横断面略六角形状を呈する透明アクリル樹脂等の透明合成樹脂材を用いて反転自在に形成されている。
【００２０】
つまり、透明仏具本体３１は、故人の俗名、生年から没年に至る生存期間、満年齢、故人の趣味、墓碑銘等、故人の生存中の生き様を彷彿とさせる思い出事項を事後的に刻入するための俗名関連事項刻入面３６、故人の戒名、享年等、位はいとしての必要事項を事後的に刻入するための戒名関連事項刻入面３７および例えば「お父さんありがとう」というような遺族の要望を自由に事後的に刻入するための自由事項刻入面３８としての利用が可能なように横断面略六角形状を呈する縦長直角柱体として形成されている。
【００２１】
これを図示例に基づいて具体的説明すれば、透明仏具本体３１における広幅平坦面３３については、適宜の一面を故人の俗名関連事項刻入面３６とし、他の一面を故人の戒名関連事項刻入面３７とし、残余の一面を遺族の要望に応じるための自由事項刻入面３８とし、狭幅平坦面３２については、いずれの面も遺族の要望に応じるための自由事項刻入面３８とし、一側端面３４と他側端面３５とについては、いずれも砂時計２１として反転を自在に使用する際の載置面３９として、それぞれを用いるようにするのが好ましい。しかし、透明仏具本体３１における各狭幅曲面３２と各広幅平坦面３３とのそれぞれは、遺族の所望に応じた上記以外の適宜事項の刻入面として用いたり、ある面は何も刻入しない面とすることもできる。
【００２２】
このようにして形成される砂時計２１と透明仏具本体３１とは、図１に示すように砂時計２１を透明仏具本体３１の長さ方向が上下方向となるようにして該透明仏具本体３１内に埋入配置することで、遺骨砕片入り砂時計付き仏具１１の全体が形成されることになる。
【００２３】
次に、上記構成からなる本考案の作用・効果を図１に示す例に基づいて説明すれば、遺骨砕片入り砂時計付き仏具１１は、図１に示すように下側に位置する透明球部２３内に微小粒状物２５のすべてが流れ落ちた状態のもとで、仏壇や机等に透明仏具本体３１の他側端面３５を載置面３９として安置することで使用することができる。しかも、微小粒状物２５が流れ落ちて時を刻んでいる間は、遺骨砕片２６の存在に思いを致しつつ故人との絆を強く保ちながらの遺徳を偲ぶことができる。
【００２４】
しかも、透明仏具本体３１は、計三面の狭幅曲面３２と計三面の広幅平坦面３３とをその周側面に備えているので、ある一面の広幅平坦面３３を俗名関連事項刻入面３６とすることで、故人の俗名、生年から没年に至る生存存期間、満年齢、故人の趣味、墓碑銘等、故人の生存中の生き様などを彷彿とさせる思い出事項を事後的に刻入することができる。
【００２５】
また、透明仏具本体３１における他の一面の広幅平坦面３３は、戒名関連事項刻入面３７とすることで、故人の戒名、享年等、位はいとしての必要事項を事後的に刻入することができる。
【００２６】
さらに、透明仏具本体３１におけるその余の一面の広幅平坦面３３は、自由事項刻入面３８とすることで、例えば「お父さんありがとう」というような遺族の要望を自由に事後的に刻入することができることになる。
【００２７】
一方、透明仏具本体３１における計三面の狭幅曲面３２は、いずれも遺族の要望に応じるための自由事項刻入面３８とすることで、自由な発想のものとで故人を偲ぶ思い出などの自由事項を事後的に刻入することができる。
【００２８】
また、遺骨砕片入り砂時計付き仏具１１は、透明仏具本体３１内に埋入されている砂時計２１を透視することができるので、図１に示す状態をその天地が逆になるように反転させることで、上側に位置することになる透明球部２３内の微小粒状物２５を下側に位置することになる透明球部２３内にくびれ部２４を介して流れ落とすことで、遺骨埋葬後であっても故人との絆を砂時計２１が刻む時の経過に託して強く保ちつつ、想いも新たに遺族が仏前に飾ったり仏事に用いたりすることができる。
【符号の説明】
【００２９】
１１  遺骨砕片入り砂時計付き仏具
２１  砂時計
２２，２３  透明球部
２４  くびれ部
２５  微小粒状物
２６  遺骨砕片
２７  砂状片
３１  透明仏具本体
３２  狭幅曲面
３３  広幅平坦面
３４  一側端面
３５  他側端面
３６  俗名関連事項刻入面
３７  戒名関連事項刻入面
３８  自由事項刻入面
３９  載置面
【図１】
0003214317.tif 000003
【図２】
0003214317.tif 000004
【手続補正書】
【提出日】平成29年11月6日(2017.11.6)
【手続補正１】
【補正対象書類名】明細書
【補正対象項目名】０００９
【補正方法】変更
【補正の内容】
【０００９】
この場合、前記広幅平坦面は、適宜の一面を故人の前記俗名関連事項刻入面とし、他の一面を故人の前記戒名関連事項刻入面とし、残余の一面を遺族の要望に応じるための前記自由事項刻入面とし、前記狭幅曲面は、いずれの面も遺族の要望に応じるための前記自由事項刻入面とするのが好ましい。
【手続補正２】
【補正対象書類名】明細書
【補正対象項目名】００１２
【補正方法】変更
【補正の内容】
【００１２】
請求項２に係る考案によれば、透明仏具本体における広幅平坦面は、適宜の一面を故人の俗名関連事項刻入面とし、他の一面を故人の戒名関連事項刻入面とし、残余の一面を遺族の要望に応じるための自由事項刻入面とし、狭幅曲面は、いずれの面も遺族の要望に応じるための自由事項刻入面とすることで、各面に対し予め定められている遺族の要望に応じた所定事項を事後的に各別に刻入することができる。
【手続補正３】
【補正対象書類名】明細書
【補正対象項目名】００２１
【補正方法】変更
【補正の内容】
【００２１】
これを図示例に基づいて具体的説明すれば、透明仏具本体３１における広幅平坦面３３については、適宜の一面を故人の俗名関連事項刻入面３６とし、他の一面を故人の戒名関連事項刻入面３７とし、残余の一面を遺族の要望に応じるための自由事項刻入面３８とし、狭幅曲面３２については、いずれの面も遺族の要望に応じるための自由事項刻入面３８とし、一側端面３４と他側端面３５とについては、いずれも砂時計２１として反転を自在に使用する際の載置面３９として、それぞれを用いるようにするのが好ましい。しかし、透明仏具本体３１における各狭幅曲面３２と各広幅平坦面３３とのそれぞれは、遺族の所望に応じた上記以外の適宜事項の刻入面として用いたり、ある面は何も刻入しない面とすることもできる。
【手続補正４】
【補正対象書類名】実用新案登録請求の範囲
【補正対象項目名】全文
【補正方法】変更
【補正の内容】
【実用新案登録請求の範囲】
【請求項１】
くびれ部を介して相互を連通させた上下一対の透明球部内に砂状片と遺骨砕片とからなる微小粒状物を前記透明球部の総容積の半量以下封入させた砂時計と、該砂時計が埋入される透明仏具本体とで構成され、
該透明仏具本体は、正三角形のそれぞれの頂角側を湾曲させた計三面の狭幅曲面と、隣り合う前記狭幅曲面相互間に位置する計三面の広幅平坦面と、上下両面に位置する一側端面と他側端面との全体で八面を形成する横断面略六角形状を呈させて故人の俗名関連事項刻入面、戒名関連事項刻入面および遺族の要望に応じるための自由事項刻入面としての利用が可能な縦長直角柱体として反転自在に形成され、
前記砂時計は、前記透明仏具本体の長さ方向が一対の前記透明球部の上下方向となるようにして該透明仏具本体内に埋入配置したことを特徴とする遺骨砕片入り砂時計付き仏具。
【請求項２】
前記広幅平坦面は、適宜の一面を故人の前記俗名関連事項刻入面とし、他の一面を故人の前記戒名関連事項刻入面とし、残余の一面を遺族の要望に応じるための前記自由事項刻入面とし、
前記狭幅曲面は、いずれの面も遺族の要望に応じるための前記自由事項刻入面とした請求項１に記載の遺骨砕片入り砂時計付き仏具。